(57)【要約】    【課題】  監視装置から制御装置に対して、測定プログラムファイルや、測定実行ファイルのアップロード・ダウンロード等のファイル操作と、測定の実行を行うことができる自動測定システムを提供する。    【解決手段】  制御装置９と監視装置１１−１〜１１−Ｎを用いて測定装置２により被試験器１を測定する自動測定システムであって、前記制御装置と前記監視装置は通信可能に接続され、前記制御装置は測定プログラムと、該測定プログラムに基づき測定装置毎、測定項目毎に制御、測定する制御手段及び測定手段を具備し、前記監視装置は測定状況を監視する監視手段と、測定を開始する開始手段と、前記測定プログラムのアップロードやダウンロードを行うファイル操作手段とを具備する。    【選択図】          図１
2010117217.tif 000002
【特許請求の範囲】
【請求項１】
制御装置と監視装置を用いて測定装置により被試験器を測定する自動測定システムであって、前記制御装置と前記監視装置は通信可能に接続され、前記制御装置は測定プログラムと、該測定プログラムに基づき測定装置毎、測定項目毎に制御、測定する制御手段及び測定手段を具備し、前記監視装置は測定状況を監視する監視手段と、測定を開始する開始手段と、前記測定プログラムのアップロードやダウンロードを行うファイル操作手段とを具備することを特徴とする自動測定システム。
【発明の詳細な説明】
【技術分野】
【０００１】
本発明は、制御装置（制御ＰＣ）から測定装置を用いて試験プログラムに基づいた被試験器の測定を行う自動測定システム、特に前記制御ＰＣに接続された監視装置（監視ＰＣ）による前記被試験器の測定及び測定結果の取得が可能な自動測定システムに関するものである。
【背景技術】
【０００２】
図８に於いて、従来の測定システムについて説明する。
【０００３】
被試験器１の測定には測定装置２が用いられ、該測定装置２は、低周波発振器３、低周波アッテネータ（以下、低周波ＡＴＴと称す）４、ダミー信号発生器６、方向性結合器５、モジュレーションアナライザ７、低周波レベル計８を具備している。
【０００４】
前記被試験器１の測定を行う際には、先ず前記低周波発振器３から低周波を発振させ、該低周波発振器３から発振された低周波を前記低周波ＡＴＴ４によって減衰させ、所要の波長に調整し、調整された低周波を入力信号として前記被試験器１に入力する。
【０００５】
該被試験器１は入力信号に対応した信号を出力し、出力信号として前記方向性結合器５に入力する。該方向性結合器５には、前記ダミー信号発生器６からダミー信号が入力され、前記方向性結合器５ではダミー信号と出力信号が合成され、合成された信号は前記モジュレーションアナライザ７に出力される。
【０００６】
該モジュレーションアナライザ７によって前記方向性結合器５で結合された送信信号成分及び歪み成分（３次、５次、７次等）を低周波信号に周波数変換が行われて元の周波数が取出され、前記低周波レベル計８によって基準変調度に基づいて周波数偏差が表示、計測される。
【０００７】
前記被試験器１に対して行われる試験項目は、様々な要因によって変更や追加が生じる場合があり、従来では、作業者が手動で前記低周波発振器３の周波数を変更し、前記低周波レベル計８で偏差を確認した場合、作業者が確認した値をデータシートに入力し、その値をグラフ化している。この為、測定の度に、又試験項目が変る度に基準変調度の調整や確認を行う作業等が発生し、煩雑であると共に、複数の前記被試験器１を測定する場合、人件費や工数等といったコストが嵩むという問題があった。
【０００８】
【特許文献１】特開２００７−２９２７２３号公報
【発明の開示】
【発明が解決しようとする課題】
【０００９】
本発明は斯かる実情に鑑み、監視装置から制御装置に対して、測定プログラムファイルや、測定実行ファイルのアップロード・ダウンロード等のファイル操作と、測定の実行を行うことができる自動測定システムを提供するものである。
【課題を解決するための手段】
【００１０】
本発明は、制御装置と監視装置を用いて測定装置により被試験器を測定する自動測定システムであって、前記制御装置と前記監視装置は通信可能に接続され、前記制御装置は測定プログラムと、該測定プログラムに基づき測定装置毎、測定項目毎に制御、測定する制御手段及び測定手段を具備し、前記監視装置は測定状況を監視する監視手段と、測定を開始する開始手段と、前記測定プログラムのアップロードやダウンロードを行うファイル操作手段とを具備する自動測定システムに係るものである。
【発明の効果】
【００１１】
本発明によれば、制御装置と監視装置を用いて測定装置により被試験器を測定する自動測定システムであって、前記制御装置と前記監視装置は通信可能に接続され、前記制御装置は測定プログラムと、該測定プログラムに基づき測定装置毎、測定項目毎に制御、測定する制御手段及び測定手段を具備し、前記監視装置は測定状況を監視する監視手段と、測定を開始する開始手段と、前記測定プログラムのアップロードやダウンロードを行うファイル操作手段とを具備するので、前記被試験器の測定を自動化でき、作業の工程数を低減させることができると共に、前記制御装置と前記監視装置をＬＡＮで接続したことにより、前記制御装置と前記監視装置の距離を離し、又該監視装置が複数別の場所にあっても前記制御装置の制御及び監視ができるという優れた効果を発揮する。
【発明を実施するための最良の形態】
【００１２】
以下、図面を参照しつつ本発明を実施する為の最良の形態を説明する。
【００１３】
図１〜図４に於いて、本発明の自動測定システムの構成について説明する。尚、図１〜図４中、図８と同等のものには同符号を付し、その説明を省略する。
【００１４】
本発明の自動測定システムは、被試験器１、測定手段としての測定装置２、制御ＰＣ９、複数の監視ＰＣ１１−１〜１１−Ｎ（Ｎは自然数）によって構成される。前記制御ＰＣ９は前記測定装置２の制御及び自動測定の為のプログラムデータや測定結果の表示手段等を具備するものであり、前記監視ＰＣ１１は前記制御ＰＣ９に対する測定指示、及び前記被試験器１の測定状態を監視するものである。
【００１５】
該被試験器１と前記測定装置２は測定ケーブル１２によって接続され、前記測定装置２と前記制御ＰＣ９はＧＰＩＢ（Ｇｅｎｅｒａｌ  Ｐｕｒｐｏｓｅ  Ｉｎｔｅｒｆａｃｅ  Ｂｕｓ）１３によって接続され、前記制御ＰＣ９と前記監視ＰＣ１１はＬＡＮ（Ｌｏｃａｌ  Ａｒｅａ  Ｎｅｔｗｏｒｋ）１４によって接続され、前記測定ケーブル１２、前記ＧＰＩＢ１３、前記ＬＡＮ１４はそれぞれ双方向にデータを送信する機能を有している。
【００１６】
図２は、前記制御ＰＣ９と前記監視ＰＣ１１の概略の構成を示したブロック図である。
【００１７】
先ず、前記制御ＰＣ９について説明する。
【００１８】
該制御ＰＣ９は、制御処理部１５、記憶部１６、ＷＥＢサーバ１７、出力手段としてのＦＴＰサーバ１８、入出力部１９、表示部と操作部を兼ねた表示操作部２１を具備しており、前記制御処理部１５と前記記憶部１６を併せて制御手段と測定手段としての機能を有する。
【００１９】
次に、前記記憶部１６には、図３（Ａ）に示される様な１〜Ｎ個の測定プログラムファイル２２がｃｓｖ形式で格納されており、各測定プログラムファイル２２の中には、図３（Ｂ）に示される様な測定実行ファイル２３がｃｓｖ形式で格納され、使用する前記測定装置２を制御するデバイスの名称や、判定値の上限と下限等の詳細なデータ及び出力先の出力ファイル、出力シート、出力セルの名称が、１〜Ｎ個の測定項目の数だけ格納されている。又、前記測定実行ファイル２３には、前記測定装置２を制御する制御コマンド一覧を示すファイルであり、１〜Ｎ個の制御コマンドを格納する設定ファイル２４がＴＥＳＴ１〜Ｎ．ｃｓｖというファイル名で１〜Ｎ個格納されている。各制御コマンドには、例えば５個のパラメータが与えられ、各パラメータには所要の値が入力されている。
【００２０】
前記ＷＥＢサーバ１７は、ＣＧＩ（Ｃｏｍｐｕｔｅｒ  Ｇｒａｐｈｉｃｓ  Ｉｎｔｅｒｆａｃｅ）プログラムを具備し、該ＣＧＩプログラムは前記測定実行ファイル２３からグラフイメージを生成する機能を有している。
【００２１】
前記ＦＴＰ（Ｆｉｌｅ  Ｔｒａｎｓｆｅｒ  Ｐｒｏｔｏｃｏｌ）サーバ１８は、前記監視ＰＣ１１に対してアップロード・ダウンロード処理を行う機能を有している。
【００２２】
前記入出力部１９は、前記記憶部１６に格納され、前記制御処理部１５で処理された制御コマンドを前記ＧＰＩＢ１３を介して前記測定装置２に送信し、該測定装置２の測定結果を受信する。又、前記入出力部１９は、前記ＬＡＮ１４を介して、後述する前記監視ＰＣ１１からの要求の受信や、該監視ＰＣ１１に対して各種データの送信を行う。
【００２３】
又、前記表示操作部２１は、図４に示される様に、測定プログラム一覧２５、測定項目一覧２６、測定開始ボタン２７が表示され、図示しないマウス等の入力装置によって１〜Ｎ個の測定プログラムの中から１つを選択できる様になっており、前記測定項目一覧２６には、選択した測定プログラムに応じた１〜Ｎ個の測定項目の一覧が表示される。所望の測定プログラムを選択し、前記測定開始ボタン２７を押すことで、測定が開始され、選択された前記設定ファイル２４に格納されている１〜Ｎ個の制御コマンドが、前記ＧＰＩＢ１３を介して前記測定装置２に送信される。該測定装置２は制御コマンドに従って稼働し、前記被試験器１を測定する。
【００２４】
上記の様に、被試験器１の測定は、１台の前記制御ＰＣ９のみによって行うことが可能である。
【００２５】
尚、上記では前記記憶部１６に予め格納されていた前記測定プログラムファイル２２について説明しているが、該測定プログラムファイル２２は、図示しない入力部からＦＤやＣＤ等の記憶媒体を介して入力可能であることは言う迄もない。
【００２６】
次に、前記監視ＰＣ１１について説明する。
【００２７】
該監視ＰＣ１１は、前記制御ＰＣ９を遠隔から操作、監視する為、前記ＬＡＮ１４を介して前記制御ＰＣ９に接続されており、前記監視ＰＣ１１は入出力部２８と表示操作部２９を具備している。又、前記監視ＰＣ１１は、前記ＬＡＮ１４を介して所定数（１〜Ｎ）接続可能である。
【００２８】
前記入出力部２８は、前記監視ＰＣ１１から前記制御ＰＣ９へのアップロード処理や、該制御ＰＣ９からのダウンロード処理をする際に前記監視ＰＣ１１の要求を前記制御ＰＣ９に送信し、要求に従って処理されて送られたデータを受信する機能を有している。
【００２９】
前記表示操作部２９は監視手段、開始手段及びファイル操作手段としてのＷＥＢブラウザ３１を具備し、該ＷＥＢブラウザ３１には図４に示される様に、測定プログラム一覧３２、測定項目一覧３３、測定値グラフ３４、測定開始・取得ボタン３５が表示されており、前記測定プログラム一覧３２と前記測定項目一覧３３は、前記制御ＰＣ９のものと同等である。前記被試験器１の測定や前記制御ＰＣ９からデータの取得を行う際には、マウス等から各種設定を変更し、前記測定開始・取得ボタン３５を押す（クリックする）ことで、前記監視ＰＣ１１内のソフトが起動し、前記ＬＡＮ１４を介して遠隔から前記制御ＰＣ９の操作や監視が可能となる。又、前記ＷＥＢブラウザ３１は前記制御ＰＣ９から送られてきたデータを前記測定値グラフ３４に表示する機能も有している。
【００３０】
尚、前記監視ＰＣ１１の前記ＷＥＢブラウザ３１に表示されているのが前記測定開始ボタン２７ではなく前記測定開始・取得ボタン３５となっているのは、前記制御ＰＣ９が１つのみであるのに対し、前記監視ＰＣ１１は複数設けられており、前記測定装置２の測定を行ったＰＣと、データの取得を行うＰＣが別の場合がある為である。
【００３１】
前記ＷＥＢブラウザ３１からマウス等を介して命令が入力されると、前記入出力部２８から前記制御ＰＣ９に対して要求が送信される。要求がデータの表示であれば、要求を受信した前記ＷＥＢサーバ１７は、要求に従ってグラフやデータを生成し、生成したグラフやデータが前記ＷＥＢブラウザ３１に受信され、前記表示操作部２９に表示される。又、要求が前記測定装置２の測定であれば、前記制御ＰＣ９は要求に従って該制御ＰＣ９のみの場合と同様に処理し、測定結果は前記監視ＰＣ１１に送信され、前記表示操作部２９に表示される。前記監視ＰＣ１１からの要求が、前記ＦＴＰサーバ１８に対してダウンロード・アップロード処理をさせる要求であった場合は、該ＦＴＰサーバ１８が命令を受信して前記測定プログラムファイル２２や前記測定実行ファイル２３の追加や更新を前記ＷＥＢブラウザ３１からダウンロードし、測定結果を出力した試験成績書をアップロードして前記監視ＰＣ１１に送信し、前記表示操作部２９に表示する。
【００３２】
次に、図５に於いて、前記制御ＰＣ９の作用について説明する。
【００３３】
前記表示操作部２１からマウス等を介しての入力か、或は後述する前記監視ＰＣ１１からの開始命令によって測定が開始する。
【００３４】
ＳＴＥＰ：０１  測定が開始されると、前記制御処理部１５が前記記憶部１６から測定項目を実行する前記測定プログラムファイル２２を読込む。
【００３５】
ＳＴＥＰ：０２  読込んだ該測定プログラムファイル２２から、パラメータ（図３（Ｃ）参照）を判別する。
【００３６】
ＳＴＥＰ：０３  未実行のパラメータが残っているかどうかを判断する。
【００３７】
ＳＴＥＰ：０４  未実行パラメータが残っていた場合に、そのパラメータを実行し、測定する為の対象の前記測定装置２のデバイスを選択する。
【００３８】
ＳＴＥＰ：０５  デバイスを選択した後、使用するデバイスにパラメータ（コマンドや値）を渡す。
【００３９】
ＳＴＥＰ：０６  パラメータを渡されたデバイスが、前記ＧＰＩＢ１３を介して前記入出力部１９から前記測定装置２に制御コマンドを送信する。
【００４０】
ＳＴＥＰ：０７  制御コマンドを送信された前記測定装置２は、制御コマンドに従って稼働し、前記測定ケーブル１２を介してパラメータに対応した前記被試験器１の測定を行う。
【００４１】
ＳＴＥＰ：０８  該被試験器１の測定が終ると、測定結果は前記測定ケーブル１２、前記測定装置２、前記ＧＰＩＢ１３を介して前記制御ＰＣ９に送信される。
【００４２】
ＳＴＥＰ：０９  測定結果を前記制御ＰＣ９が受信し、前記制御処理部１５にて、受信した測定結果のデータを解析する。
【００４３】
ＳＴＥＰ：１０  解析した測定結果をデータファイルに書込み、前記記憶部１６に格納する。
【００４４】
ＳＴＥＰ：１１  該記憶部１６に格納されている前記測定実行ファイル２３には、予め判定値の上限値と下限値が設定されており（図３（Ｂ）参照）、これらの判定値を基に測定結果の良否を判定する。
【００４５】
ＳＴＥＰ：１２  測定結果が判定値の上限値と下限値の間に収っていれば測定結果が前記表示操作部２１に表示され、測定結果が判定値の上限値を上回る、或は下限値を下回っていた場合には、前記表示操作部２１に警告色、例えば赤色で測定結果が表示される。
【００４６】
ＳＴＥＰ：１２が終了した後、再びＳＴＥＰ：０３に戻り、未実行のパラメータが残っているかどうかを判別する。パラメータが残っていた場合は、ＳＴＥＰ：０４〜ＳＴＥＰ：１２の処理を再び行い、未実行のパラメータが残っていないと判断されるまで上記の処理を繰返す。ＳＴＥＰ：０３で未実行のパラメータが残っていないと判断されたところで一連の処理を終え、前記被試験器１の測定を終了する。
【００４７】
次に、図６〜図７に於いて、前記監視ＰＣ１１の作用について説明する。
【００４８】
先ず、図示しないマウス等の入力装置によって、前記ＷＥＢブラウザ３１に表示された前記測定プログラム一覧３２から測定プログラムを１つ選択し、前記測定開始・取得ボタン３５をクリックすることで、測定及びデータの取得が開始される。
【００４９】
ＳＴＥＰ：２１  前記ＷＥＢブラウザ３１から前記ＷＥＢサーバ１７に対してデータの取得要求、或は前記被試験器１の測定開始命令等の要求が前記ＬＡＮ１４を介して送信される。
【００５０】
ＳＴＥＰ：２２  前記ＷＥＢブラウザ３１から出された要求が、前記ＷＥＢサーバ１７に受信される。
【００５１】
ＳＴＥＰ：２３  該ＷＥＢサーバ１７が、前記ＷＥＢブラウザ３１からの要求に該当するＣＧＩプログラムを起動する。
【００５２】
ＳＴＥＰ：２４  前記ＣＧＩプログラムが、該当するファイルを前記記憶部１６に格納された前記測定実行ファイル２３から読込み、データを取得する。そして、取得したデータに基づいて、前記ＷＥＢブラウザ３１からの要求項目の処理が行われる。
【００５３】
ＳＴＥＰ：２５  ＳＴＥＰ：２２で受信された要求がデータの取得であれば、前記ＣＧＩプログラムが、読込んだデータを基にグラフやデータを生成する。
【００５４】
ＳＴＥＰ：２６  ＳＴＥＰ：２２で受信された要求が前記被試験器１の測定開始命令であれば、その命令が前記制御処理部１５に送られてＳＴＥＰ：０１〜ＳＴＥＰ：１２迄の一連の処理が行われる。
【００５５】
ＳＴＥＰ：２７  データの取得や前記被試験器１の測定開始命令等の要求項目の処理が終了した後、各種の結果が前記ＬＡＮ１４を介して前記ＷＥＢブラウザ３１に送信される。
【００５６】
ＳＴＥＰ：２８  前記ＷＥＢサーバ１７から送信されたデータが前記ＷＥＢブラウザ３１に受信され、受信結果が表示される。
【００５７】
又、該ＷＥＢブラウザ３１からの要求（ＳＴＥＰ：２１）が、ファイルのアップロード・ダウンロードの指示であれば、前記ＷＥＢブラウザ３１からの要求は、前記ＷＥＢサーバ１７ではなく、前記ＦＴＰサーバ１８に対して送信される。
【００５８】
ＳＴＥＰ：３１  ファイルのアップロード・ダウンロードの指示が、前記ＷＥＢブラウザ３１から前記ＬＡＮ１４を介して前記ＦＴＰサーバ１８に対して送信される。
【００５９】
ＳＴＥＰ：３２  前記ＷＥＢブラウザ３１からの要求が、前記ＦＴＰサーバ１８に受信される。
【００６０】
ＳＴＥＰ：３３  前記ＷＥＢブラウザ３１からの要求に従い、前記ＦＴＰサーバ１８が測定プログラムファイルや実行ファイルの追加・更新といったダウンロード処理や、前記被試験器１の測定結果を出力した試験成績書の取得といったアップロード処理を行う。
【００６１】
ＳＴＥＰ：３４  アップロード・ダウンロード処理が終了した後、各種の完了通知が前記ＬＡＮ１４を介して前記ＷＥＢブラウザ３１に送信される。
【００６２】
ＳＴＥＰ：３５  前記ＦＴＰサーバ１８から送信された各種通知が前記ＷＥＢブラウザ３１に受信され、完了通知が表示される。
【００６３】
上記の様に、予め前記記憶部１６には前記測定装置２の制御コマンドが格納された測定プログラムファイル２２が格納されており、前記表示操作部２１に表示された測定開始ボタン２７を押すだけで、制御コマンドが実行され、前記測定装置２が制御コマンドのパラメータに応じて前記被試験器１の測定が行われる為、前記制御ＰＣ９単独で前記被試験器１の測定を行うことができる。
【００６４】
又、前記ＷＥＢブラウザ３１に表示された前記測定開始・取得ボタン３５を押すだけで、前記制御ＰＣ９に前記ＬＡＮ１４を介して各種の要求が送信され、該制御ＰＣ９は各要求に応じて、該制御ＰＣ９を直接操作したのと同様の処理が行われるので、遠隔から前記制御ＰＣ９の操作が可能となる。又、設定の変更やデータの取得を行う際も同様であり、前記ＦＴＰサーバ１８を介してアップロード・ダウンロード処理が行われる。
【００６５】
上記の２つの構成により、測定の度に手動で設定を変更することなく前記被試験器１の測定を行うことができ、作業工程の数が減少し、作業量及び作業効率が改善される。又、前記監視ＰＣ１１は前記ＬＡＮ１４を介して前記制御ＰＣ９と接続されている。従って、前記監視ＰＣ１１と前記制御ＰＣ９の距離は離れていてもよく、前記監視ＰＣ１１の数は１台である必要がない為、遠隔地から、或は複数の場所からでも効率よく前記制御ＰＣ９の操作、監視を行うことができる。
【図面の簡単な説明】
【００６６】
【図１】本発明に於ける自動測定システムの構成を示すブロック図である。
【図２】本発明に於ける自動測定システムの要部拡大ブロック図である。
【図３】本発明に於ける自動測定システムのプログラムファイルの一例である。
【図４】本発明に於ける画面操作のイメージを示すブロック図である。
【図５】本発明に於ける制御装置のフローチャートである。
【図６】本発明に於ける監視装置のフローチャートである。
【図７】本発明に於ける監視装置のフローチャートである。
【図８】従来の測定システムを示すブロック図である。
【符号の説明】
【００６７】
１              被試験器
２              測定装置
９              制御ＰＣ
１１            監視ＰＣ
１５            制御処理部
１６            記憶部
１７            ＷＥＢサーバ
１８            ＦＴＰサーバ
１９            入出力部
２１            表示操作部
２２            測定プログラムファイル
２３            測定実行ファイル
２４            設定ファイル
２９            表示操作部
３１            ＷＥＢブラウザ
【図１】
2010117217.tif 000003
【図２】
2010117217.tif 000004
【図３】
2010117217.tif 000005
【図４】
2010117217.tif 000006
【図５】
2010117217.tif 000007
【図６】
2010117217.tif 000008
【図７】
2010117217.tif 000009
【図８】
2010117217.tif 000010